(57)【要約】      （修正有）【課題】携帯端末等を傷つけ破損させることがなく、かつ非使用時に外観上、違和感を生じさせないようにしたズボンの後ポケット構造を提供する。【解決手段】布７を内側に折り返して形成される後ポケット５の入り口から垂れ下がる袋ポケット２０は、上の幅が狭くなった連結部１８と、連結部１８の下側に続いて携帯端末等を収容する長方形状の収容部１９を有している。袋ポケット２０の連結部１８が後ポケット５の入り口から下の位置の後ポケット５内側に位置付けられ、端ミシン１０により布７とともに縫い付けられている。連結部１８は、袋ポケット２０が後ポケット５の入り口から垂れ下がった際に、後ポケット５の入り口の上端の位置で後ポケット５の入り口のほぼ全域にわたって、その上端を跨ぐ長さ（Ｗ４）を有している。【選択図】図２
0003190800.tif 000002
【実用新案登録請求の範囲】
【請求項１】
布を内側に折り返して形成される後ポケットの入り口から垂れ下がる袋ポケットを有するズボンの後ポケット構造において、
前記袋ポケットは、上の幅が狭くなった連結部と、前記連結部の下側に続いて携帯端末等を収容する長方形状の収容部とを有する袋ポケットとを有しており、
前記袋ポケットの前記連結部が前記後ポケットの入り口の上端より後ポケット内側に入った位置に位置付けられ、端ミシンにより前記折り返される布とともに縫い付けられており、
前記連結部は、袋ポケットが後ポケットの入り口から垂れ下がった際に、後ポケットの入り口の上端の位置で後ポケットの入り口のほぼ全域にわたって、その上端を跨ぐ長さを有していることを特徴とするズボンの後ポケットの構造。
【請求項２】
請求項１のズボンの後ポケットの構造において、前記折り返される布は玉縁布であり、前記端ミシンによりズボンの後身頃、前記玉縁布及び前記連結部が縫い付けられていることを特徴とするズボンの後ポケットの構造。
【請求項３】
請求項１のズボンの後ポケットの構造において、前記連結部はテーパー形状を有していることを特徴とするズボンの後ポケットの構造。
【考案の詳細な説明】
【技術分野】
【０００１】
本考案は、ズボン（スラックス、パンツ）の後ポケット構造に係り、特に携帯端末のような長尺物を収納可能な後ポケットの構造に関するものである。
【背景技術】
【０００２】
事務所或は作業所のワークスペースにおいて、スマートフォン、情報の入出力や仕事上の指示等を授受するために、携帯電話、バーコードリーダなどの携帯端末を利用することが多い。このため、作業用の衣服、特に上着には腕や胸ポケットに携帯端末を格納出来るポケットを有すものが存在する。一方、ズボンにおいては、屈んだときに比較的長尺物である携帯端末が破損したり、ポケットから脱落したりするため、腰の横側、或は腿の横側にポケットを設けたりしている。
【０００３】
一方、特許文献１の図５、図６においては、携帯電話をズボンの後ポケットに収容可能とした構造が開示されている。ズボンの場合には、後ポケットに携帯電話を収納した場合には、着席時には携帯電話に体重による荷重がかかり、携帯電話が曲がったり破損したりする不具合が生じるため、後ポケットの上端部位に上部が縫合され、上端が開口された袋状布からなり、内部に携帯電話が収納可能で、携帯電話を収納しない場合には後ポケットに折り畳んで格納可能な内ポケットが開示されている。
特許文献１の特に図５によると、後ポケットが開示されており、玉縁布の上側の一部範囲に、玉縁布の表側から袋状布が縫合されていることが示されている。
【先行技術文献】
【特許文献】
【０００４】
【特許文献１】実用新案登録第３０２５２１０号
【考案の概要】
【考案が解決しようとする課題】
【０００５】
特許文献１によれば、上部が縫合され袋状布がズボンの後ポケットの位置に縫合されるが、その縫合位置は、後ポケットの上端部位であったり、ベルト通し部位であったりする。袋状布は、使用しない状態においては、後ポケット等に格納できるようになっており、外観のデザインが従来のポケットと変わらずに見栄えを良くする点において、考慮されている。しかし、袋状布を見えないように後ポケットを格納した際に、後ポケットの上端部が袋状布の折り返しのために盛り上がったり、一部が見えたままであったりしており違和感を生じさせることが免れない。また、玉縁布に袋状布を縫合した例においては、携帯端末を袋状布に収納した際に、重さにより玉縁布が長さ方向に折れた状態になってしまう。
特に、女性用の作業着としては、ズボンの後ポケットの位置を携帯端末の収容位置とすることが作業姿に響かない点で好ましいが、携帯端末の収容時、非収容時に形状に乱れが生じることは避けたい。
そこで、本考案の目的は、携帯端末等を傷つけ破損させることがなく、かつ非使用時に外観上、違和感を生じさせないようにしたズボンの後ポケット構造を提供することを目的とするものである。
【課題を解決するための手段】
【０００６】
本考案は、上述事情に鑑みてなされたものであって、布を内側に折り返して形成される後ポケットの入り口から垂れ下がる袋ポケットを有するズボンの後ポケット構造において、
前記袋ポケットは、上の幅が狭くなった連結部と、前記連結部の下側に続いて携帯端末等を収容する長方形状の収容部とを有する袋ポケットとを有しており、前記袋ポケットの前記連結部が前記後ポケットの入り口の上端より後ポケット内側に入った位置に位置付けられ、端ミシンにより前記折り返される布とともに縫い付けられており、前記連結部は、袋ポケットが後ポケットの入り口から垂れ下がった際に、後ポケットの入り口の上端の位置で後ポケットの入り口のほぼ全域にわたって、その上端を跨ぐ長さを有していることを特徴とする。
【考案の効果】
【０００７】
本考案によれば、袋ポケットが後ポケットから取り出されたときに、後ポケットの入り口の幅の範囲内で取り出され、袋ポケットに携帯端末等を収容したとしても、入り口の長さ方向の全域にわたって被さるため、折れてしまうような形状変化がない。また、袋ポケットは後ポケットの入り口から垂れ下がった状態で携帯端末等を収納するので、屈んだとき等における尻部の曲がりに対しても何ら影響を受けることがなく、携帯電話の曲がりや破損を防止できる。また、携帯端末等を収納しない場合には袋ポケットは後ポケット内に格納でき、その際、後ポケット５に対して外観上の違和感を生じさせない。
【図面の簡単な説明】
【０００８】
【図１】ズボンの後ポケット構造を示す図である。
【図２】袋ポケットを示す図である。
【図３】後ポケットと袋ポケットの断面を示す図である。
【図４】他の後ポケットと袋ポケットの断面を示す図である。
【考案を実施するための最良の形態】
【０００９】
以下、後ポケットとして、切ポケットの下側の口に玉縁布を配した玉縁ポケットに本実施例を適用した例を図１に示す。
【００１０】
図１はズボン１の臀部側に配置され、上端が解放された後ポケットの構造における袋ポケットの収容状態、取出し中の状態、取り出した後の状態を示している。ズボン１の後身頃２、３には夫々後ポケット４、５（片玉縁ポケット）が設けられている。切ポケットであるので、後ポケットの表側を構成する布は、後身頃２、３である。夫々の後ポケット４、５にポケットの入口を飾る折り返される布として表地と同じ布の玉縁布６、７が縫着されている。そして、玉縁布６、７の下側に端ミシン８、１０が縫われている。なお、端ミシン８、１０は、後ポケット４、５の全周にわたり設けられている。
【００１１】
後ポケット４には、ポケットの入り口を止めるボタン１１が縫着されている。一方、後ポケット５には、携帯端末を収容する袋ポケット２０が設けられている。図１Ｂは、袋ポケット２０が後ポケット５から引き出された状態を示している。２４は袋ポケット２０の基幹をなす基体部であり布として表地が用いられる。２６は基体部に縫着された芯地付表地である。図１Ｃ図においては、引き出された袋ポケット２０を後ポケット５の前に垂らした状態を示している。袋ポケット２０、玉縁布７の幅のほぼ全域の上端を跨いだ状態で垂れ下がっており、袋ポケット２０及びこれに収容される物の重量は、玉縁布７のほぼ全域に対して、引き下げるように作用する。袋ポケット２０は、携帯端末３０を収容可能なポケット２１と、筆記用具３１を収容可能なポケット２２とが仕切り２３により形成されている。
【００１２】
図２は袋ポケット２０の詳細を示しており、図２Ａは袋ポケット２０の背面を示し、図２Ｂは正面を示し、図２Ｃは後ポケット５内に収容された状態の袋ポケット２０を示している。
【００１３】
基体部２４は、図中上側が上の幅が狭くなったテーパー形状の部位と、下側に長方形状の部位を有している。後ポケット５の入り口の幅Ｗ１に対して、長方形状の幅Ｗ３はほぼ同じかやや狭い。芯地付表地２６は、基体部２４の長方形状の部位をほぼ全域をカバーする長方形状であり、その全周に渡って基体部２４に縫着されている。また、ポケット２１、２２を構成する布も、基体部２４の長方形状の部位をほぼ全域をカバーする長方形状であって、芯地付表地２６とは反対側の基体部２４表面を覆っており、図２Ｃにおいて左右両端、下端及び仕切り２３の箇所で、基体部２４に縫着されており、その結果、ポケット２１、２２が夫々、携帯端末や筆記用具を収容する収容部１９としての機能を有している。
【００１４】
図２Ｄにおいて、後ポケット５の収容部をなす袋布１３を２点破線で示し、基体部２４（と芯地付表地２６）を１点破線で示している。基体部２４は袋布１３の内部形状とほぼ同一の形状であり、基体部２４の左右辺、下辺が、袋布１３の左右辺、下辺にほぼ一致する位置に達している。
【００１５】
基体部２４は、図２Ａに示す上側のテーパー形状の範囲において、後ポケット５の入り口の上端より内側に入った幅方向の一点破線イの位置に位置付けられ、後ポケット５の内側の面に縫着されている。このテーパー形状の範囲が後ポケット５との連結機能を有する連結部１８である。一点破線イの位置の位置は、端ミシン１０が掛けられる位置であって、一点破線イで示される長さＷ２は、後ポケット５の入り口の幅Ｗ１に対して、さらに狭くなっている。端ミシン１０は、後ポケット５の入り口の幅Ｗ１の全域にわたって掛けられ、連結部１８を身頃３、玉縁布７に縫い付けている。
【００１６】
また、一点破線イの位置で後ポケット５の内側に縫着された基体部２４は、後ポケット５から取り出されたときには、図２Ａの一点破線ロで示す位置において、後ろポケット５の入り口の上端（玉縁布７の上端）で折り返される。破線ロの位置もテーパー状範囲であって、この位置では、後ポケット５の長さＷ１より５〜８ｍｍ程度狭い幅（Ｗ４）であって、後ろポケット５の入り口の上端の幅Ｗ１にほぼ匹敵する長さである。ここで、Ｗ１は１０ｃｍ程度である。このため、基体部２４が後ポケット５から取り出されたときに、後ポケット５の入り口の幅の範囲内で取り出され、後ポケット５の入り口サイドが干渉して一点破線ロの位置で幅方向に基体部２４にしわがよることはない。また、袋ポケット２０に携帯端末等を収容したとしても、玉縁布７の長さ方向の全域に被さるため、玉縁布７が折れてしまうような形状変化がない。
【００１７】
また、基体部２４は一点破線イの位置で端ミシン１０により、後身頃３と玉縁布７とに縫着されるので、後ポケット５の外観上、袋ポケット２０が縫着されていることが隠される。また、破線イの位置で縫着された基体部２４は、袋ポケット２０が後ポケット５内に収容されたときに、一点破線イの位置で上下が折り返されるが、玉縁布７よりも下の位置であり、また、後身頃３の折り返し位置よりも下の位置であるので、後ポケット５の入り口における盛り上がり、引張りなどによる形状の違和感を生じさせない。
【００１８】
図３は、後ポケット５の縦断面構造を示している。図中、１２は後ろ布、１４は補強布である。玉縁布７を折り返して後ポケット５の入り口を構成している。基体部２４は、端ミシン１０により、後身頃３と玉縁布７とに縫着されている。玉縁布７、後ろ布１２、補強布１４、基体部２４、芯地付表地２６、ポケット２１、２２は後身頃３（表地）の布地と同じ色、材料の布地でできている。玉縁布７が折り返されている範囲においては、袋布１３に対して、ホットメルト等の接着手段により芯１６が接着している。芯１６は、玉縁布７の補強のために用いられる。
【００１９】
本実施例の後ポケット構造によれば、通常は、袋ポケット２０は後ポケット５内に格納され、携帯端末等の長尺物を収納する場合に後ポケット５内から取り出して収納するようになっている。
【００２０】
従って、袋ポケット２０は後ポケット５の入り口の上端において、その全域に跨って垂れ下がった状態で携帯端末等を収納するので、後ポケット５の入り口の上端の全域に重量が分散して後ポケット５の入り口が折れ曲がらず、また屈んだときに等における尻部の曲がりに対しても何ら影響を受けることがなく、携帯電話の曲がりや破損を防止できる。さらに、携帯端末等を収納しない場合には袋ポケット２０は後ポケット５内に格納でき、その際、後ポケット５に対して外観上、袋ポケット２０の存在を消すことができて違和感を生じさせない。また、連結部１８はテーパー形状になっており、緩やかに上に向かって幅が縮小することから、後ろポケット５の入り口幅との差異が余り目立たない。
【００２１】
図４は、先の実施例と違い、後ポケット５として玉縁布を有さない後ポケット５を示しており、図４Ａは切ポケットの例であり、図４Ｂは貼り付け式ポケットを示している。これらの例において、袋ポケット２０は、先の実施例と同じものであって、後ポケット５としての入り口長さＷ１も先の実施例と同じである。図４Ａの切ポケットの例においては、後身頃３が折り返され、後ポケット５の内側に入った面において端ミシン１０により連結部１８が縫い付けられている。従って、折り返すことにより後ポケット５の入り口を構成しているのは、後身頃３である。この端ミシン１０は、後身頃を折り返した位置の下側の１ｍｍ或は、これよりも間をあけて施されている。端ミシン１０により、端ミシン１０の上側はループ状となって強化されるており、袋ポケット２０を取り出したとき、このループ状に対して基体部２４が上から巻き付くように垂れ下がるため、さらにループ状の形状の強度は強化されて、変形しにくくなるという効果がある。さらに、強度を増加させるために端ミシン１０の位置に芯布を配置しても良い。
【００２２】
また、図４Ｂの貼り付け式ポケット例においては、切ポケットとは相違し、ポケット布１７が後ポケットの表側を構成する布であって、後身頃３に縫着されるが、後ポケット５の入り口のところでポケット布１７が折り返され、後ポケット５の内側に入った面において端ミシン１０により連結部１８が縫い付けられている。従って、折り返すことにより後ポケット５の入り口を構成しているのは、ポケット布１７である。この端ミシン１０は、後身頃を折り返した位置の下側の１ｍｍ或は、これよりも間をあけて施されている。端ミシン１０により、端ミシン１０の上側はループ状となって強化されており、袋ポケット２０を取り出したとき、このループ状に対して基体部２４が上から巻き付くように垂れ下がるため、さらにループ状の形状の強度は強化されて、変形しにくくなるという効果がある。さらに、強度を増加させるために端ミシン１０の位置に芯布を配置しても良い。貼り付け式ポケット例において、ポケット布１７に口布を設けた玉縁ポケットとし、口布を、折り返すことにより後ポケット５の入り口を構成している布としてもよい。
【００２３】
上記各実施例においては、ポケット口の上側の構成を蓋付のフラップポケットの形態としても良い。
【符号の説明】
【００２４】
２、３  後身頃
４、５  後ポケット
６、７  玉縁布
８、１０  端ミシン
１１ ボタン
１３  袋布
２０  袋ポケット
２４  基体部
２１、２２  ポケット
２６  芯地付表地
【図１】
0003190800.tif 000003
【図２】
0003190800.tif 000004
【図３】
0003190800.tif 000005
【図４】
0003190800.tif 000006